(57)【要約】      （修正有）【課題】シュータ本体の搬送面上にこぼれた飲料の液体を系外に逃がしてコンベアのチェーン機構に付着するのを防ぐように改良する。【解決手段】商品収納庫の庫内底部に配置し、商品ラックから払い出した飲料入り紙パック商品を商品取出口に送出する自動販売機の商品搬出コンベア７であって、上面を搬送面とする板金製のシュータ本体９の左右両サイドに沿ってその周りを周回するチェーン機構１３を敷設し、かつ該チェーン機構の左右のチェーン間に跨がって前記シュータ本体の搬送面上を移動する押棒１４を架設した構成になるものにおいて、前記シュータ本体９の左右両サイドに沿ってチェーン１３ｂの手前側に、紙パック商品から漏れ出てシュータ本体の搬送面上にこぼれた飲料を流出させる排出穴９ｂを穿孔するものとし、この排出穴９ｂを、アレイ状，ないし千鳥状パターンに並べてシュータ本体の板面にパンチングして形成する。【選択図】図１
2010160693.tif 000002
【特許請求の範囲】
【請求項１】
商品ラックと商品取出口との間を連係して商品収納庫の庫内底部に配置し、商品ラックから払い出した商品を商品取出口に送出する自動販売機の商品搬出コンベアであり、上面を搬送面とする板金製のシュータ本体の左右両サイドに沿ってその周りを周回するチェーン機構を敷設し、かつ該チェーン機構の左右のチェーン間に跨がって前記シュータ本体の搬送面上を移動する押棒を架設した構成になるものにおいて、
前記シュータ本体の左右両サイドに沿ってチェーンの手前側に、紙パック商品から漏れ出てシュータ本体の搬送面上にこぼれた飲料を流出させる排出穴を穿孔したことを特徴とする自動販売機の商品搬出コンベア。
【請求項２】
請求項１に記載の商品搬出コンベアにおいて、排出穴をアレイ状，ないし千鳥状パターンに並べてシュータ本体の板面にパンチングしたことを特徴とする自動販売機の商品搬出コンベア。
【発明の詳細な説明】
【技術分野】
【０００１】
この発明は、商品ラックと商品取出口との間を連係して商品収納庫の庫内底部に配備し、商品ラックから払い出した飲料入り紙パック商品を商品取出口に送出する自動販売機の商品搬出コンベアに関する。
【背景技術】
【０００２】
まず、頭記の商品搬出コンベアを装備した自動販売機を図２に示す。図２において、１は自動販売機のキャビネット、２は外扉、３は断熱内扉、４は外扉に配した商品取出口に通じる商品搬出口、５はキャビネット１の商品収納庫内に収設した商品ラック（例えば直積式商品ラック）、６はキャビネット１のベースに配備した冷凍機のコンデンシングユニット、７は商品収納庫の庫内底部に配置して商品ラック５から払い出した商品を商品取出口に送出する商品搬出コンベアである
上記の構成で、商品ラック５には紙パック入り飲料商品（不図示）が積み上げ収納され、販売時に商品ラック５から払い出した商品は商品搬出コンベア７の上に落下した後に前方に搬送され、コンベア前端から商品搬出口４を通じて商品取出口に送出される。
【０００３】
次に、前記した商品搬出コンベア７の従来構造を図３〜図５に示す。この商品搬出コンベアは所謂スクレーパ式のチェーンコンベア（例えば、特許文献１参照）であり、各図において、８は断面コ字形になる左右一対の外枠、９は上面を搬送面として外枠８の内側に敷設した板金製のシュータ本体、１０は外枠８の上縁から逆「ハ」字状に起立延在する左右両翼のシュータ、１１はシュータ本体９の前端から前記商品搬出口４に向けて斜め下方に延在する前シュータ、１２はシュータ本体９の後端から斜め上方に延在する後シュータである。また、１３は前記シュータ本体９の左右両サイドに沿って該シュータ本体９の周りを周回するよう組み付けたチェーン機構、１３ａはシュータ本体９の前後に配したスプロケット、１３ｂは前後のスプロケット１３ａの間に張架したチェーン、１３ｃはチェーン機構１３の駆動モータである。さらに、前記のチェーン機構１３には、左右のチェーン１３ｂの間に架設してシュータ本体９の搬送面に受容した商品を前方に搬送する押棒（スクレーパ）１４が適当の間隔ピッチを隔てて配置されており、これらで商品搬出シュータ７を構成している。
【０００４】
また、前記の商品搬出コンベア７には、次記のようなトラブル対策が施されている。すなわち、商品ラック５に収納した飲料（牛乳，シロップ，コーヒーなど）入り紙パック商品の容器が何らかのトラブルで破れ、中身飲料が漏れ出したりすると、飲料が商品搬出コンベアの上にこぼれて前記したチェーン機構１３を濡らすことがある。しかも、チェーン機構１３に付着した液体飲料を放置しておくと、時間の経過とともに液体が乾燥，凝固してチェーン機構の動き阻害し、最悪な場合にはチェーン機構７がロックして商品搬出不能になる事態を引き起こすおそれがある。
【０００５】
そこで、前記問題の対策として、前記した特許文献１には左右両翼のシュータの先端を庇状に突き出してチェーン機構の上方を覆い、シュータ１０の上にこぼれ落ちた飲料が直接チェーン機構１３を濡らさないようにした構造が開示されている。また、図４に示した従来製品の商品搬出コンベア７についても、図５のようにシュータ本体９の左右両サイドに沿ってチェーン１３ｂの手前側位置に断面Ｖ字状の樋溝９ａを形成しておき、シュータ本体９の搬送面にこぼれた飲料がチェーン機構１３にまで広がる以前に、前記の樋溝９ａに逃がして液体飲料がチェーン機構１３に付着するのを防ぐようにした対策が施されている。
【０００６】
なお、シュータ本体９の樋溝９ａに流れ込んだ液体は樋溝を伝わって庫内底部に滴下することになるが、この種の自動販売機には、庫内に配した冷却器（冷凍機のエバポレータ）に生じた除霜水などのドレンを庫外に排出するために庫内底部にドレン排水用のトレーを敷設しており、前記樋溝９ａから垂れ落ちた飲料もこのトレーで受けるようにしているので特に問題はない。
【特許文献１】特開平９−２５１５７３号公報
【発明の開示】
【発明が解決しようとする課題】
【０００７】
ところで、先記のようにシュータ本体９の左右両サイドに沿って樋溝９ａ（図５参照）を形成し、シュータ本体９の搬送面上にこぼれた飲料を溝に流し込んで逃がすようにした構成により、チェーン機構１３に飲料が付着するのを防止できるものの、メンテナンス性の面で次記のような不具合のあることが知見されている。すなわち、樋溝９ａに流れ落ちた飲料は時間の経過とともに凝固し、飲料滓が溝の底部にこびり付いた状態となる。
【０００８】
そのために、ロケーション先に設置した自動販売機の日常的なメンテナンス作業として商品搬出コンベア７のシュータ搬送面を拭き掃除する際に、樋溝９ａの溝底にこびり付いた飲料滓が拭き取り難い問題があってその改善策が要望されている。
この発明は上記の点に鑑みなされたものであり、コンベアの清掃時におけるメンテナンス作業性の改善を図りつつ、シュータ本体の搬送面上にこぼれた飲料を系外に逃がしてコンベアのチェーン機構に付着するのを防ぐように改良した自動販売機の商品搬出コンベアを提供することにある。
【課題を解決するための手段】
【０００９】
上記目的を達成するために、この発明によれば、商品ラックと商品取出口との間を連係して商品収納庫の庫内底部に配置し、商品ラックから払い出した商品を商品取出口に送出する自動販売機の商品搬出コンベアで、上面を搬送面とする板金製のシュータ本体の左右両サイドに沿ってその周りを周回するチェーン機構を敷設し、かつ該チェーン機構の左右のチェーン間に跨がって前記シュータ本体の搬送面上を移動する押棒を架設した構成になるものにおいて、前記シュータ本体の左右両サイドに沿ってチェーンの手前側に、紙パック商品から漏れ出てシュータ本体の搬送面上にこぼれた飲料を流出させる排出穴を穿孔するものとし（請求項１）、ここで、前記排出穴は、アレイ状，ないし千鳥状パターンに並べてシュータ本体の板面にパンチングして形成する（請求項２）。
【発明の効果】
【００１０】
上記の構成によれば、シュータ本体の搬送面上にこぼれた飲料は、チェーン機構の敷設位置より手前側でシュータ本体の左右両サイドに穿孔した排出穴を通じて逃がすことができ、これにより飲料の濡れ，付着が原因でチェーン機構の動作不良となるトラブルが防げる。
しかも、この排出穴をシュータ本体（板金製）のフラットな板面にパンチング形成したことにより、シュータ本体にＶ状の樋溝を形成した従来構造と比べて、飲料滓のこびり付きを残さずに搬送面の拭き掃除が楽に行えてメンテナンス作業性の改善が図れる。
【発明を実施するための最良の形態】
【００１１】
以下、この発明の実施の形態を図１（ａ），（ｂ）に示す実施例に基づいて説明する。なお、図１（ａ）は商品搬出コンベアの全体構造図、（ｂ）は（ａ）における矢視Ａの拡大断面図であり、図３〜図５に対応する部材には同じ符号を付してその説明は省略する。
すなわち、図示実施例では、シュータ本体９の左右両サイドに形成した従来構造の樋溝９ａ（図５参照）に代えて、シュータ本体９の板面にはアレイ状，ないし千鳥状に並ぶ排出穴９ｂがパンチング形成されている。
【００１２】
この構造により、紙パック商品から漏れ出してシュータ本体９の搬送面にこぼれた飲料は、左右両サイドに敷設したチェーン機構１３にまで広がる以前に、前記排出穴９ｂを通じて庫内底部に配した排水用トレー（不図示）に逃がすことができ、これにより飲料の濡れ，付着に起因するチェーン機構１３のトラブル発生が防げる。
しかも、前記排出穴９ｂをシュータ本体９のフラットな板面にパンチング形成したことにより、従来構造のようにシュータ本体９の樋溝９ａの溝底に飲料滓がこびり付くこともなく、これによりコンベアのシュータ面を拭き掃除する作業を楽に行うことができてメンテナンス性の改善が図れる。
【図面の簡単な説明】
【００１３】
【図１】この発明の実施例による商品搬出コンベアの構成図で、（ａ）はコンベアの全体構造の斜視図、（ｂ）は（ａ）における矢視Ａの拡大断面図
【図２】庫内底部に商品搬出コンベアを配備した紙パック入り飲料商品の自動販売機の構成斜視図
【図３】図２における商品搬出コンベアの従来構造の斜視図
【図４】図３におけるコンベア前部の拡大図
【図５】図４の要部の拡大断面図
【符号の説明】
【００１４】
１    自動販売機のキャビネット
５    商品ラック
７    商品搬出コンベア
９    シュータ本体
９ａ  排出穴
１３    チェーン機構
１４    押棒
【図１】
2010160693.tif 000003
【図２】
2010160693.tif 000004
【図３】
2010160693.tif 000005
【図４】
2010160693.tif 000006
【図５】
2010160693.tif 000007